(57)【要約】      （修正有）【課題】スロット付き後付けナットを提供する。【解決手段】ナット１を備えており、ナット１の後部には弾性を持つアーチ状部２が取付けられており、アーチ状部２にはスロット２１が設けられている。アーチ状部２はナット１の後部の両端または一端に配置されている。スロット２１はアーチ状部２のアーチ面の任意の位置に配置されている。アーチ状部２は樹脂材料、金属板ばねまたはゴムである。本考案は弾性機能を有するアーチ状部により既存のボールをナットに取付けるものと置き換えるものであり、製造工程は簡単で、生産効率は２倍近くまで向上することになり、人件費を大きく節約でき、使用しやすい。アーチ状部に作用する押圧力はスロットにより解放して分散されるので、アーチ状部は弾性支持するように作用して、ナットを使用しないときにはアーチ状部は直ちに元に戻るので、再利用しやすくなる。【選択図】図１
0003203809.tif 000002
【実用新案登録請求の範囲】
【請求項１】
ナット（１）を備えたスロット付き後付けナットであって、
前記ナット（１）の後部には弾性を持つアーチ状部（２）が取付けられており、前記アーチ状部（２）にはスロット（２１）が設けられており、前記アーチ状部（２）はナット（１）後部の両端または一端に配置されている、ことを特徴とするスロット付き後付けナット。
【請求項２】
前記スロット（２１）はアーチ状部（２）のアーチ面に配置されている、ことを特徴とする請求項１に記載のスロット付き後付けナット。
【請求項３】
前記アーチ状部（２）は、樹脂材料、金属板ばね、またはゴムである、ことを特徴とする請求項１に記載のスロット付き後付けナット。
【請求項４】
前記樹脂材料はナイロン樹脂である、ことを特徴とする請求項３に記載のスロット付き後付けナット。
【考案の詳細な説明】
【技術分野】
【０００１】
本考案はアルミニウム構造材用ナット技術分野に関し、とりわけスロット付き後付けナットに関する。
【背景技術】
【０００２】
既存の後付けナット製品はナットの裏面に穴を開けて、開口部内にスプリングを取付けてさらにボールを取付けることで、ボールに弾性を持たせて、ナットをアルミニウム構造材の上方から溝に組付けた後にナットの弾性により溝内に係止して自然に滑らないようにしている。このような構造の製品は使用時には便利であるが、製造工程が複雑で、人件費が高く、製品コストが嵩むとともに、ボールが脱落したり、ボールが噛んでしまったりといった不具合が生じやすくなる。
【０００３】
本考案者の他の出願、特許文献１では後付けナットを開示しており、ナットを備え、ナットの後部には弾性を持つアーチ状部が設けられており、アーチ状部はナットの後部の両端または一端に配置されている。しかし該考案は実施において、後付けナットがアルミニウム構造材の溝の上方から装入されたとき、該アーチ状部は一体に繋がっているため、装入時の押圧力が解放され分散されることがなく、アーチ状部は凹み変形して元に戻ることがないため、該後付けナットのアーチ状部が弾性作用を発揮することなく、しかもアルミニウム構造材の溝中から外れて、再利用することもできなくなってしまう。
【先行技術文献】
【特許文献】
【０００４】
【特許文献１】中国実用新案登録出願第２０１４２００９１２７１．８号明細書
【考案の概要】
【考案が解決しようとする課題】
【０００５】
従来技術における再利用できないという不足を克服するために、本考案ではスロット付き後付けナットを提供する。
【課題を解決するための手段】
【０００６】
本考案がその技術的課題を解決するのに採用する技術的手法は以下の通りである。ナットを備えたスロット付き後付けナットであって、前記ナットの後部には弾性を持つアーチ状部が取付けられており、前記アーチ状部にはスロット（溝、すき間）が設けられており、前記アーチ状部はナットの後部の両端または一端に配置されている。本技術手法ではアーチ状部にスロットを設けることで、弾性作用を発揮して、押圧力がスロットから分散することができるものであって、このようなアーチ状部は取出し後に元に戻り、再利用することができる。
【０００７】
本考案の他の実施例に基づき、前記スロットはアーチ状部のアーチ面の任意の位置に配置されているものをさらに含む。本技術手法では、従来技術における後付けナットのアーチ状部が弾性作用を発揮することなくアルミニウム構造材の溝内から外れて再利用できないという問題をさらに解決しており、スロットがアーチ状部のアーチ面の任意の位置に配置されていることで、アーチ状部に作用する圧力を解放することができる。
【０００８】
本考案の他の実施例に基づき、前記アーチ状部は樹脂材料、金属板ばねまたはゴムであることをさらに含む。
【０００９】
本考案の他の実施例に基づき、前記樹脂材料はナイロン樹脂であることをさらに含む。
【考案の効果】
【００１０】
本考案の有益な効果は以下の通りである、
（１）本考案は弾性機能を有するアーチ状部で既存のボールをナットに取付けるものと置換することで、製造工程は簡単で、生産効率は２倍近くまで向上することになり、人件費を大きく節約でき、使用しやすい。
（２）本考案のアーチ状部の力はスロットにより解放して分散されるので、アーチ状部は弾性支持するように作用して、使用しないときにはアーチ状部は直ちに元に戻るので、再利用しやすくなる。
【００１１】
以下にて図面および実施例を合わせて本考案をより詳細に説明する。
【図面の簡単な説明】
【００１２】
【図１】図１は本考案の実施例１の立体図である。
【図２】図２は実施例１の正面図である。
【図３】図３は実施例１の側面図である。
【図４】図４は本考案の実施例２の立体図である。
【考案を実施するための形態】
【００１３】
図１、２、３に示すように、ナット１には弾性を有するアーチ状部２が取付けられており、好ましくはナイロン樹脂材料とするものであって、アーチ状部２はナット１の後部両端に配置されることで、ボルトを貫通して突出させやすくしている。ナイロン樹脂２は樹脂射出法でナット１上に固定されており、ナット１の反対面のナイロン樹脂は中空アーチ状をなしており、該アーチ状部２はつまり一定の弾性を生じて、アルミニウム構造材の溝内に係止することになる。図４に示すように、好ましくは、アーチ状部２をナット１後部の一端に取付けることで、中空でアーチ状をなすアーチ状部２は同様に一定の弾性を生じて、アルミニウム構造材の溝内に係止することができる。しかし両端部のいずれにもアーチ状部を設けるものに比べて、一辺にアーチ状部を設ける製造工程は比較的簡単であるため、コストをさらに削減することができる。本考案のアーチ状部２は樹脂材料、金属板ばねまたはゴムなどとすることができ、弾性を持つ材料であればよい。アーチ状部２の取付け位置も上記二つの実施例に制限されるべきではなく、それがナット１に取付けられて弾性作用を生じて、アルミニウム構造材に係止することができればよく、例えば面積を少なくして取付けるのであれば、ナットの正面・裏面などに取付けることになる。
【００１４】
図４に示すように、上記実施例におけるアーチ状部を再装着しやすくするために、加工時に、アーチ状部２のアーチ面上にスロット２１を増設しており、スロット２１は弾性作用を発揮して、押圧力をスロットから解放して分散することができるので、アーチ状部が弾性支持するように作用してナットをアルミニウム構造材の溝内に固定して外れないようにするとともに、取り外し後も直ちに元に戻り、再利用することができる。好ましくは、スロット２１はアーチ状部２のアーチ面の中間位置に配置して、両側のアーチ部に作用する押圧力を均一化して、かつ分散することができる。当然のことながら、アーチ状部２のスロット２１の位置は上記実施例に制限されるべきではなく、アーチ状部のアーチ面の任意の位置に配置して、アーチ状部に作用する押圧力を解放して分散すればよく、例えばアーチ状部２における左寄りまたは右寄りに設けることができる。
【００１５】
本考案では弾性機能を有するアーチ状部で既存のボール弾性ナットの取付けと置き換えることで、同様にアルミニウム構造材の溝内で自然に滑らないようにすることができ、製造工程は簡単で、生産効率は２倍近くまで向上することになり人件費を大きく節約でき、使用しやすい。しかも使用に際してはアーチ状部に作用する押圧力はスロットにより解放して分散されるので、アーチ状部は弾性支持するように作用して、ナットを使用しないときにはアーチ状部は直ちに元に戻るので、再利用しやすくなる。
【符号の説明】
【００１６】
１    ナット
２    アーチ状部
２１  スロット（溝、すき間）
【図１】
0003203809.tif 000003
【図２】
0003203809.tif 000004
【図３】
0003203809.tif 000005
【図４】
0003203809.tif 000006